(57)【特許請求の範囲】
【請求項１】
ペルチェ素子の冷却面により冷却可能な保冷室を有する洗面化粧台において、
前記ペルチェ素子の加熱面は、前記保冷室に断熱状態で隣接して外気と連通する保温室を保温可能であり、
前記保冷室は、底面が前記ペルチェ素子に向かって下り傾斜した傾斜面とされ、
前記保冷室内で生じた結露水をこの傾斜面に沿って流下させ、前記加熱面側に集めて加熱し、気化可能であることを特徴とする洗面化粧台。
【請求項２】
少なくとも前記保冷室が引出内に形成されていることを特徴とする請求項１記載の洗面化粧台。
【請求項３】
前記保冷室は、奥側に位置し、前記冷却面に近い第１保冷室と、この第１保冷室に非断熱状態で隣接しつつ手前側に位置し、前記冷却面から遠い第２保冷室とからなることを特徴とする請求項１又は２記載の洗面化粧台。
【請求項４】
前記第１保冷室は断熱材により形成された蓋部材により開閉可能であることを特徴とする請求項３記載の洗面化粧台。
【発明の詳細な説明】
【０００１】
【発明の属する技術分野】
本発明は、ペルチェ素子（熱電素子）を用いた保冷室を有する洗面化粧台に関する。
【０００２】
【従来の技術】
近年、多機能を有する洗面化粧台として、低温に保持される保冷室を有するものが知られている。このような洗面化粧台では、そのような保冷室に例えば化粧水、目薬、コンタクト用保存液等の物品を収納することにより、それらの物品の長期保存による劣化、変質等を防止することができる。また、浴室に設けられた洗面化粧台にあっては、そのような保冷室に例えばジュースやビール等の飲料水や青果物を収納することにより、入浴後にいつでもそれらを取り出して水分補給等を行わしめることができる。
【０００３】
特に、近年にあっては、そのような保冷室を冷却面により冷却すべく、ペルチェ素子を用いることも提案されている。かかるペルチェ素子を用いれば、一般的な圧縮機及び冷媒ガスを用いた保冷室に比し、静粛性、省電力、省スペース、環境性等の優れた効果も奏する。
【０００４】
【発明が解決しようとする課題】
しかし、上記従来の洗面化粧台では、保冷室内に化粧品や薬品等が収納されることにより、保冷室内に結露が生じ、その結露水により保冷室が劣化しやすく、ひいては洗面化粧台の品質悪化を招来してしまうという問題が起こり得る。特に、化粧品や薬品等の代わりにジュースやビール等の飲料水等を保冷室に収納する場合には、保冷室内に多量の結露水を生じ、その不具合が大きくなる。
【０００５】
本発明は、上記従来の実情に鑑みてなされたものであって、保冷室内を劣化させることなく、品質を維持可能な洗面化粧台を提供することを解決すべき課題としている。
【０００６】
【課題を解決するための手段】
本発明の洗面化粧台は、ペルチェ素子の冷却面により冷却可能な保冷室を有する洗面化粧台において、
【０００７】
前記ペルチェ素子の加熱面は、前記保冷室に断熱状態で隣接して外気と連通する保温室を保温可能であり、
前記保冷室は、底面が前記ペルチェ素子に向かって下り傾斜した傾斜面とされ、
前記保冷室内で生じた結露水をこの傾斜面に沿って流下させ、前記加熱面側に集めて加熱し、気化可能であることを特徴とする。
【０００８】
本発明の洗面化粧台では、ペルチェ素子がその冷却面により保冷室を冷却可能であり、その加熱面が保冷室に断熱状態で隣接して外気と連通する保温室を保温可能である。そして、この洗面化粧台では、保冷室で生じた結露水がペルチェ素子の加熱面によって加熱されることにより、気化する。こうして、この洗面化粧台では、保冷室内で生じた結露を除去することができる。
【０００９】
したがって、この洗面化粧台では、結露による保冷室の劣化を防止することができ、ひいては品質を維持することができる。
【００１０】
保冷室で生じた結露水を保温室内に案内する手段としては、例えば、保冷室内の底面が凹凸形状を有する傾斜面になっており、その凹部に集まった結露水が傾斜面によって保温室まで流されるように構成することができる。
【００１１】
本発明の洗面化粧台では、少なくとも保冷室が引出内に形成されていることができる。引出内に保冷室が形成されておれば、洗面化粧台の前にいる使用者が奥側に存在する化粧品等を手にしやすい。
【００１２】
本発明の洗面化粧台では、保冷室は、奥側に位置し、冷却面に近い第１保冷室と、この第１保冷室に非断熱状態で隣接しつつ手前側に位置し、冷却面から遠い第２保冷室とからなることが好ましい。第１保冷室は、冷却面に近いことから、冷却されやすく、第２保冷室は、冷却面から遠いことから、第１保冷室ほど冷却されない。このため、第１保冷室と第２保冷室とで保冷温度を分けることができるため、保冷するものの好ましい温度特性に応じて区分けして保存することができる。
【００１３】
本発明の洗面化粧台では、第１保冷室は断熱材により形成された蓋部材により開閉可能であることが好ましい。断熱材としては、金属箔をラミネートしたフィルム等が重ね合わされ、内部を真空にしたり、内部に不織布を介してガラス粉末、ガラス繊維、コルク等を真空状態で充填してなるもの等を採用することができる。第１保冷室は、断熱材により形成された蓋部材を有することにより、閉ざされた暗室となり、一定温度を保ちやすくなる。このため、収納する物品の劣化等を確実に防止することができる。
【００１４】
本発明の洗面化粧台では、保冷室内は、照明装置により引出の引き出し時に照光されるようになっていることが好ましい。こうであれば、引出からなる保冷室を引き出した時に、保冷室内に保存されているものを確実に確認することができる。このため、保冷室内に保存されているものが複雑に混在する場合であっても、それらを容易に取り出すことができる。また、イルミネーションの効果もある。照明装置としては、引出に固定又は内蔵されたＬＥＤ等の発光体を有するものを採用することができる。
【００１５】
引出は、それ自体を断熱材で構成したり、外方を断熱材で覆ったりすることができる。本発明の洗面化粧台では、引出は透明材により構成されていることが好ましい。引出が透明材であることにより、引出の外から保冷室内を確認することができる。このため、上述の効果をより一層発揮することができる。また、照明装置により引出の引き出し時に照光されるようになっている場合には、照明装置の発光体を引出の奥側に設けたとしても、発光体の光が引出全体に及んで引出内を明るくすることができる。また、この場合にはイルミネーションの効果が大きい。
【００１６】
本発明の洗面化粧台では、透明材は真空断熱ガラスであることが好ましい。こうであれば、断熱効果が大きい一方、薄型にできるからである。透明な真空断熱ガラスであることがより好ましい。
【００１７】
本発明の洗面化粧台では、保温室内には湿った布類が収納可能になっていることが好ましい。例えば、このような保温室内には、使用後のタオル等のような湿った布類が収納できる。このような湿った布類に含まれる水分は、保冷室から案内された結露水と共に保温室内で気化される。このため、湿った布類を乾燥させることができ、カビ等の発生を抑えることができるので、衛生的である。
【００１８】
本発明の洗面化粧台では、保温室は排気ダクトにより外気に連通し、その保温室又はダクトには脱臭装置が設けられていることが好ましい。こうであれば、保温室内で気化された水分や結露水等は、排気ダクトにより外気に排出されることとなる。また、脱臭装置によって保温室又は排気ダクト内を脱臭することができる。このため、保温室又は排気ダクト内は、乾燥状態かつ無臭状態を維持できることとなり、衛生的となる。特に、青果物を保冷室に収納することがある場合には、青果物から生じるエチレンを吸着すべく、脱臭装置として活性炭を用いたフィルタを採用することが好ましい。
【００１９】
本発明の洗面化粧台では、排気ダクトは鏡に向かって開口していることが好ましい。排気ダクトから排気される熱を利用することにより鏡を暖めることができ、鏡の曇りを防止することができる。開口は鏡の表面側であってもよく、裏面側であってもよい。
【００２０】
【発明の実施の形態】
以下、本発明を具体化した実施形態を図１〜３を参照しつつ説明する。
【００２１】
図１に示すように、実施形態の洗面化粧台は、浴室の床面に載置される収納ケース３０と、この収納ケース３０の上方に一体に設けられた鏡台２０とから構成されている。鏡台２０の上方には鏡１２が固定されている。
【００２２】
収納ケース３０には、扉３０ａと、上段の第１引出３１と、中段の第２引出３２と、下段の第３引出３３とから構成されている。
【００２３】
そして、収納ケース３０内では、図２に示すように、扉３０ａ内に保温室３５が形成されているとともに、第３引出３３内に保冷室３４が形成され、これら保温室３５の奥側と保冷室３４の奥側とは連通路３６により連通されている。保冷室３４は透明な真空断熱ガラスにより形成されている。他方、保温室３５及び連通路３６は木材やプラスチック材等により形成され、その内面には断熱材が貼着されている。なお、保冷室３４も木材やプラスチック材等により形成し、その外面に断熱材を貼着することも可能である。また、第１、２引出３１、３２は木材やプラスチック材等により形成されている。
【００２４】
この保冷室３４は、貫通孔を有する非断熱壁３４ｃがほぼ中央に設けられることにより、奥側の第１保冷室３４ａと、表側の第２保冷室３４ｂとに仕切られている。第１保冷室３４ａの側壁には、図３に示すように、図示しない電源と接続されたＬＥＤ３４ｈが設けられている。
【００２５】
また、第２図に示すように、第１保冷室３４ａと第２保冷室３４ｂとの底面には、図３にも示すように、引き出し方向に延びる凹凸が形成されている。凹凸の凸部３４ｉは水平に形成されている。他方、凹凸の凹部３４ｅは奥方向に向かって下り傾斜している。非断熱壁３４ｃの下端には第１流水孔３４ｄが貫設され、凹部３４ｅはこの第１流水孔３４ｄにより第１保冷室３４ａと第２保冷室３４ｂとで繋がっている。第１保冷室３４ａの上方には、一般的な断熱材により形成された蓋部材３４ｆが開閉可能に設けられている。
【００２６】
そして、第１保冷室３４ａの奥側と連通路３６との間には、図示しない電源に接続されたペルチェ素子３８が設けられている。ここで、ペルチェ素子３８の冷却面３８ａは第１保冷室３４ａ側に設けられており、ペルチェ素子３８の加熱面３８ｂは連通路３６側に設けられている。ペルチェ素子３８の加熱面３８ｂの真下には結露水を溜める凹み３６ａが凹設されている。冷却面３８ａには吸熱効果を高めるためのフィン３８ｃが設けられ、加熱面３８ｂには放熱効果を高めるためのフィン３８ｄが設けられている。また、ペルチェ素子３８の下方には、第２流水孔３４ｇが設けられており、その第２流水孔３４ｇによって第１保冷室３４ａと連通路３６とが繋がっている。
【００２７】
連通路３６は、図２に示すように、一方が収納ケース３０に開口した吸気孔３６ｃに繋がっており、他方が保温室３５に繋がっている。そして、連通路３６の保温室３５側には、図示しない電源及びモータにより駆動される送風ファン３６ｂが設けられている。
【００２８】
また、保温室３５の奥側には排気ダクト３５ｂが設けられており、保温室３５と排気ダクト３５ｂとの間には脱臭装置としてのフィルタ（クラレケミカル（株）「活性炭低温触媒」）３５ａが設けられている。排気ダクト３５ｂは、図１に示すように、鏡台２０内において、鏡１２の裏側全面に拡がり、上方に開口された排気口１３に繋がっている。
【００２９】
鏡台２０には洗面器２１が設けられており、洗面器２１の上方には図示しない水道管等と接続された水栓金具２２等が設けられている。
【００３０】
上記のようにして構成された実施形態の洗面化粧台では、図２に示すように、収納ケース３０の第３引出３３内に保冷の必要性がある物を好ましい温度特性に応じて区分けして保存することができる。すなわち、ペルチェ素子３８の冷却面３８ａによって強く冷却され、蓋部材３４ｆ等によって一定温度に保たれた第１保冷室３４ａには、ジュース、ビール等の飲料水や化粧水、目薬、コンタクト用保存液等の物品等を収納し、効果的に保冷することができる。また、第１保冷室３４ａの冷却熱は、非断熱壁３４ｃによって緩和されて第２保冷室３４ｂに伝えられるため、第２保冷室３４ｂは第１保冷室３４ａほど低くない温度で冷却される。このため、第２保冷室３４ｂ内には野菜や果物等の青果物等を収納し、やや緩和された条件で保冷することができる。この間、第３引出３３は、真空断熱ガラスで構成されているため、断熱効果が大きく、薄型のものとなっている。
【００３１】
ここで、第３引出３３を引き出すとき、図３に示すように、その第３引出３３内ではＬＥＤ３４ｈが照光することとなる。このため、第３引出３３内に形成された保冷室３４内に保冷されているものを容易に取り出すことができる。
【００３２】
さて、第１保冷室３４ａ内や第２保冷室３４ｂ内では、上述の飲料水等が収納されることにより、結露が生じる。この結露水は、第１保冷室３４ａや第２保冷室３４ｂの凹部３４ｅに滴下され、図３に示すように、第１流水孔３４ｄ及び第２流水孔３４ｇを通って連通路３６内の凹み３６ａに至る。こうして凹み３６ａ内に集められた結露水は、ペルチェ素子３８の加熱面３８ｂによって加熱されることにより、気化する。気化した結露水は、図２に示すように、連通路３６内で加熱された空気と共に送風ファン３６ｂによって保温室３５内に送られる。
【００３３】
保温室３５にはこうして温められた空気が供給され、保温室３５内では使用後の湿ったタオル等が乾燥させられる。このため、湿ったタオル等に発生するカビ等を抑えることができる。保温室３５内の臭いはフィルタ３５ａによって吸着する。このため、保温室３５内のタオル等に臭いが残ることはなく、乾燥状態かつ無臭状態を維持できることとなり、衛生的な雰囲気を保つことができる。
【００３４】
そして、保温室３５内を経た空気は、排気ダクト３５ｂを通って、鏡１２の裏側全面に送られた後、排気口１３から排気される。これにより、鏡１２の裏側前面を温めることができることから、鏡１２の曇りを防止することができる。
【００３５】
こうして、保冷室３４で生じた結露水等は外気に放出される。このためこの洗面化粧台は、結露による保冷室３４の劣化を防止することができる。
【図面の簡単な説明】
【図１】実施形態に係る洗面化粧台の全体正面図である。
【図２】実施形態に係る洗面化粧台の横断面図である。
【図３】実施形態に係る洗面化粧台の縦断面図である。
【符号の説明】
３８…ペルチェ素子
３８ａ…冷却面
３４…保冷室
３８ｂ…加熱面
３５…保温室
３１、３２、３３…引出（３１…第１引出、３２…第２引出、３３…第３引出）
３４ａ…第１保冷室
３４ｂ…第２保冷室
３４ｆ…蓋部材
３５ｂ…排気ダクト
３５ａ…脱臭装置（フィルタ）
１２…鏡
【図１】
0004458701.tif 000002
【図２】
0004458701.tif 000003
【図３】
0004458701.tif 000004